(57)【特許請求の範囲】
【請求項１】
映像を取得する映像取得部と、
利用者の有する機器から読み取られたタグ情報を取得するタグ情報取得部と、
立場の異なる複数の利用者が対面状況にあるか否かを判定し、対面状況にあると判定する場合に、対面状況に至った開始タイミングと、その後対面状況を解消した終了タイミングとを特定する対面判定部と、
前記開始タイミングを開始時とし、前記終了タイミングを終了時とする編集映像を前記映像から切り出す映像編集部と、を備え、
前記機器は、該機器を有する前記利用者の立場を示す情報である属性を示す値を含む前記タグ情報が記憶されたタグを内蔵し、
前記対面判定部は、互いに異なる前記属性を前記タグ情報に含む少なくとも１組の前記機器の間隔が所定距離以下である場合に、立場の異なる前記複数の利用者が対面状況にあると判定することを特徴とする映像情報管理装置。
【請求項２】
請求項１に記載の映像情報管理装置であって、
前記映像取得部は、通信可能に接続された医療機関端末装置から前記映像を取得し、
前記対面判定部は、患者を示す属性をタグ情報に含む前記機器と、他の前記属性をタグ情報に含む少なくとも１つの前記機器との間隔が所定距離以下である場合に、前記複数の利用者が対面状況にあると判定することを特徴とする映像情報管理装置。
【請求項３】
請求項２に記載の映像情報管理装置であって、
前記タグ情報取得部は、前記タグ情報を読み取った読取装置を特定する読取装置情報を取得し、
前記対面判定部は、共通する前記読取装置により前記タグ情報が読み取られた少なくとも１組の前記機器は所定距離以下の間隔にあると判定することを特徴とする映像情報管理装置。
【請求項４】
請求項２又は３に記載の映像情報管理装置であって、
所定の前記属性を示す値を含む前記タグ情報と前記編集映像とを関連付けて記憶する記憶部と、
所定の前記属性を示す値を含む前記タグ情報と予め関連付けられた、前記利用者の身体状況に関するカルテ情報を取得するカルテ情報取得部と、を備え、
前記映像編集部は、前記対面状況にあると判定された少なくとも１組の前記機器のうち少なくとも１つの機器が有する前記タグ情報と関連する前記カルテ情報と、該タグ情報を用いて切り出された前記編集映像とを関連付けて前記記憶部に記憶させ、
前記映像編集部は、前記映像を削除又は情報量を減少させることを特徴とする映像情報管理装置。
【請求項５】
請求項１に記載の映像情報管理装置であって、
前記機器の位置情報を取得する位置情報取得部を備え、
前記対面判定部は、前記位置情報を用いて前記複数の機器が前記対面状況にあるか否かを判定することを特徴とする映像情報管理装置。
【請求項６】
請求項５に記載の映像情報管理装置であって、
前記機器を有する利用者の有する前記タグの前記タグ情報と該機器の位置情報とが関連付けられた位置関連情報を記憶する記憶部を備え、
前記対面判定部は、前記属性を示す値が互いに異なる前記タグ情報と前記位置関連情報において関連付けられた少なくとも１組の前記機器が前記対面状況にあるか否かを判定することを特徴とする映像情報管理装置。
【請求項７】
映像情報管理装置と、前記映像情報管理装置と通信可能に接続される医療機関端末装置とを含む映像情報管理システムであって、
前記医療機関端末装置は、
所定の撮影範囲を映像として記録する撮影部と、
機器に含まれる情報を読み取る読取部と、を備え、
前記映像情報管理装置は、
前記撮影部が撮影した前記映像を取得する映像取得部と、
各々機器を有する複数の利用者が対面状況に至った開始タイミングと、その後対面状況を解消した終了タイミングとを特定する対面判定部と、
前記開始タイミングを開始時とし、前記終了タイミングを終了時とする編集映像を前記映像から切り出す映像編集部と、を備え、
前記対面判定部は、少なくとも１組の前記機器の間隔が所定距離以下である場合に対面状況にあると判定することを特徴とする映像情報管理システム。
【請求項８】
請求項７に記載の映像情報管理システムであって、
前記医療機関端末装置は、
前記機器を有する前記利用者の身体状況に関するカルテ情報を該機器を特定する情報と関連付けて記憶するカルテ記憶部と、
前記読取部により読み取られた前記機器と前記カルテ記憶部において関連付けられた前記カルテ情報を表示する表示制御部と、を備え、
前記映像情報管理装置は、
前記表示制御部により表示された前記カルテ情報を取得するカルテ情報取得部と、
前記カルテ情報取得部により取得された前記カルテ情報と、前記カルテ記憶部において該カルテ情報と関連付けられた前記機器を示す情報を用いて切り出された前記編集映像と、を関連付けて記憶する記憶部と、を備えることを特徴とする映像情報管理システム。
【請求項９】
映像情報管理装置が行う映像情報管理方法であって、
前記映像情報管理装置は、
映像を取得する映像取得手順と、
利用者の有する機器から読み取られたタグ情報を取得するタグ情報取得手順と、
立場の異なる複数の利用者が対面状況にあるか否かを判定し、対面状況にあると判定する場合に、対面状況に至った開始タイミングと、その後対面状況を解消した終了タイミングとを特定する対面判定手順と、
前記開始タイミングを開始時とし、前記終了タイミングを終了時とする編集映像を前記映像から切り出す映像編集手順と、を実行し、
前記機器は、該機器を有する前記利用者の立場を示す情報である属性を示す値を含む前記タグ情報が記憶されたタグを内蔵し、
前記対面判定手順において、互いに異なる前記属性を前記タグ情報に含む少なくとも１組の前記機器の間隔が所定距離以下である場合に、立場の異なる前記複数の利用者が対面状況にあると判定することを特徴とする映像情報管理方法。
【請求項１０】
コンピュータを映像情報管理装置として機能させるプログラムであって、
前記映像情報管理装置は、映像取得部と、タグ情報取得部と、対面判定部と、映像編集部と、を備え、
前記映像取得部に、映像を取得する映像取得手順を実行させ、
前記タグ情報取得部に、利用者の有する機器から読み取られたタグ情報を取得するタグ情報取得手順を実行させ、
前記対面判定部に、立場の異なる複数の利用者が対面状況にあるか否かを判定し、対面状況にあると判定する場合に、対面状況に至った開始タイミングと、その後対面状況を解消した終了タイミングとを特定する対面判定手順を実行させ、
前記映像編集部に、前記開始タイミングを開始時とし、前記終了タイミングを終了時とする編集映像を前記映像から切り出す映像編集手順を実行させるプログラムであって、
前記機器は、該機器を有する前記利用者の立場を示す情報である属性を示す値を含む前記タグ情報が記憶されたタグを内蔵し、
前記対面判定手順において、互いに異なる前記属性を前記タグ情報に含む少なくとも１組の前記機器の間隔が所定距離以下である場合に、立場の異なる前記複数の利用者が対面状況にあると判定することを特徴とするプログラム。
【発明の詳細な説明】
【技術分野】
【０００１】
本発明は、映像情報管理装置、映像情報管理システム、映像情報管理方法、及びプログラムに関する。
【背景技術】
【０００２】
病院の診察状況を撮影した映像を電子カルテと関連付けて記憶する技術が知られている。
【０００３】
特許文献１には、「患者の診療情報を医師が入力する医師用端末からの操作入力に基づき、オーダサーバを用いて前記診療情報をオーダ番号に基づきネットワークを通じて管理する病院情報システムであって、前記患者の状態を画像情報として取り込む画像取込手段と、前記患者の状態を第１の音声情報として取り込む第１の音声取込手段と、前記医師の指示を第２の音声情報として取り込む第２の音声取込手段と、前記医師用端末からの操作入力に基づき、ネートワークを通じて前記画像情報、前記第１の音声情報、前記第２の音声情報を取り込んでこれらの各情報をファイル化して前記オーダ番号にて管理する管理手段と、を含むことを特徴とする病院情報システム」が開示されている。
【先行技術文献】
【特許文献】
【０００４】
【特許文献１】特開２００２−２１５７９７号公報
【発明の概要】
【発明が解決しようとする課題】
【０００５】
診察状況の撮影にあたり、例えば１日のうち診察を行っている間は継続して撮影を行い、患者側の要求があった場合に、撮影した映像から必要部分を切り出すことが考え得る。しかしながら、診察時間中に継続して撮影された映像を保存しておくことはハードウェア資源の圧迫につながる。また、目視にて必要部分を切り出す作業は煩雑である。
【０００６】
特許文献１に開示された技術は、医師用端末からの操作入力に基づいて画像情報等の取得を行っているため、医師の業務の増大を招き、適切でない。
【０００７】
本発明は、上記の点に鑑みてなされたものであって、映像から所望の編集映像を効率的に得る技術の提供を目的とする。
【課題を解決するための手段】
【０００８】
本願は、上記課題の少なくとも一部を解決する手段を複数含んでいるが、その例を挙げるならば、以下の通りである。
【０００９】
上記課題を解決するため、本発明の一態様に係る映像情報管理装置は、映像を取得する映像取得部と、利用者の有する機器から読み取られたタグ情報を取得するタグ情報取得部と、立場の異なる複数の利用者が対面状況にあるか否かを判定し、対面状況にあると判定する場合に、対面状況に至った開始タイミングと、その後対面状況を解消した終了タイミングとを特定する対面判定部と、前記開始タイミングを開始時とし、前記終了タイミングを終了時とする編集映像を前記映像から切り出す映像編集部と、を備え、前記機器は、該機器を有する前記利用者の立場を示す情報である属性を示す値を含む前記タグ情報が記憶されたタグを内蔵し、前記対面判定部は、互いに異なる前記属性を前記タグ情報に含む少なくとも１組の前記機器の間隔が所定距離以下である場合に、立場の異なる前記複数の利用者が対面状況にあると判定することを特徴とする。
【００１０】
本発明の前記映像取得部は、通信可能に接続された医療機関端末装置から前記映像を取得し、前記対面判定部は、患者を示す属性をタグ情報に含む前記機器と、他の前記属性をタグ情報に含む少なくとも１つの前記機器との間隔が所定距離以下である場合に、前記複数の利用者が対面状況にあると判定することを特徴としてもよい。
【００１１】
本発明の前記タグ情報取得部は、前記タグ情報を読み取った読取装置を特定する読取装置情報を取得し、前記対面判定部は、共通する前記読取装置により前記タグ情報が読み取られた少なくとも１組の前記機器は所定距離以下の間隔にあると判定することを特徴としてもよい。
【００１２】
本発明の前記映像情報管理装置は、所定の前記属性を示す値を含む前記タグ情報と前記編集映像とを関連付けて記憶する記憶部と、所定の前記属性を示す値を含む前記タグ情報と予め関連付けられた、前記利用者の身体状況に関するカルテ情報を取得するカルテ情報取得部と、を備え、前記映像編集部は、前記対面状況にあると判定された少なくとも１組の前記機器のうち少なくとも１つの機器が有する前記タグ情報と関連する前記カルテ情報と、該タグ情報を用いて切り出された前記編集映像とを関連付けて前記記憶部に記憶させ、前記映像編集部は、前記映像を削除又は情報量を減少させることを特徴としてもよい。
【００１３】
本発明の前記映像情報管理装置は、前記機器の位置情報を取得する位置情報取得部を備え、前記対面判定部は、前記位置情報を用いて前記複数の機器が前記対面状況にあるか否かを判定することを特徴としてもよい。
【００１４】
本発明の前記映像情報管理装置は、前記機器を有する利用者の有する前記タグの前記タグ情報と該機器の位置情報とが関連付けられた位置関連情報を記憶する記憶部を備え、前記対面判定部は、前記属性を示す値が互いに異なる前記タグ情報と前記位置関連情報において関連付けられた少なくとも１組の前記機器が前記対面状況にあるか否かを判定することを特徴としてもよい。
【００１５】
また、上記課題を解決するため、本発明の他の態様に係る映像情報管理システムは、映像情報管理装置と、前記映像情報管理装置と通信可能に接続される医療機関端末装置とを含む映像情報管理システムであって、前記医療機関端末装置は、所定の撮影範囲を映像として記録する撮影部と、機器に含まれる情報を読み取る読取部と、を備え、前記映像情報管理装置は、前記撮影部が撮影した前記映像を取得する映像取得部と、各々機器を有する複数の利用者が対面状況に至った開始タイミングと、その後対面状況を解消した終了タイミングとを特定する対面判定部と、前記開始タイミングを開始時とし、前記終了タイミングを終了時とする編集映像を前記映像から切り出す映像編集部と、を備え、前記対面判定部は、少なくとも１組の前記機器の間隔が所定距離以下である場合に対面状況にあると判定することを特徴とする。
【００１６】
本発明の前記医療機関端末装置は、前記機器を有する前記利用者の身体状況に関するカルテ情報を該機器を特定する情報と関連付けて記憶するカルテ記憶部と、前記読取部により読み取られた前記機器と前記カルテ記憶部において関連付けられた前記カルテ情報を表示する表示制御部と、を備え、前記映像情報管理装置は、前記表示制御部により表示された前記カルテ情報を取得するカルテ情報取得部と、前記カルテ情報取得部により取得された前記カルテ情報と、前記カルテ記憶部において該カルテ情報と関連付けられた前記機器を示す情報を用いて切り出された前記編集映像と、を関連付けて記憶する記憶部と、を備えることを特徴としてもよい。
【００１７】
また、上記課題を解決するため、本発明の他の態様に係る映像情報管理方法は、映像情報管理装置が行う映像情報管理方法であって、前記映像情報管理装置は、映像を取得する映像取得手順と、利用者の有する機器から読み取られたタグ情報を取得するタグ情報取得手順と、立場の異なる複数の利用者が対面状況にあるか否かを判定し、対面状況にあると判定する場合に、対面状況に至った開始タイミングと、その後対面状況を解消した終了タイミングとを特定する対面判定手順と、前記開始タイミングを開始時とし、前記終了タイミングを終了時とする編集映像を前記映像から切り出す映像編集手順と、を実行し、前記機器は、該機器を有する前記利用者の立場を示す情報である属性を示す値を含む前記タグ情報が記憶されたタグを内蔵し、前記対面判定手順において、互いに異なる前記属性を前記タグ情報に含む少なくとも１組の前記機器の間隔が所定距離以下である場合に、立場の異なる前記複数の利用者が対面状況にあると判定することを特徴とする。
【００１８】
また、上記課題を解決するため、本発明の他の態様に係るプログラムは、コンピュータを映像情報管理装置として機能させるプログラムであって、前記映像情報管理装置は、映像取得部と、タグ情報取得部と、対面判定部と、映像編集部と、を備え、前記映像取得部に、映像を取得する映像取得手順を実行させ、前記タグ情報取得部に、利用者の有する機器から読み取られたタグ情報を取得するタグ情報取得手順を実行させ、前記対面判定部に、立場の異なる複数の利用者が対面状況にあるか否かを判定し、対面状況にあると判定する場合に、対面状況に至った開始タイミングと、その後対面状況を解消した終了タイミングとを特定する対面判定手順を実行させ、前記映像編集部に、前記開始タイミングを開始時とし、前記終了タイミングを終了時とする編集映像を前記映像から切り出す映像編集手順を実行させるプログラムであって、前記機器は、該機器を有する前記利用者の立場を示す情報である属性を示す値を含む前記タグ情報が記憶されたタグを内蔵し、前記対面判定手順において、互いに異なる前記属性を前記タグ情報に含む少なくとも１組の前記機器の間隔が所定距離以下である場合に、立場の異なる前記複数の利用者が対面状況にあると判定することを特徴とする。
【発明の効果】
【００１９】
本発明によれば、映像から所望の編集映像を効率的に得ることができる。
【００２０】
上記した以外の課題、構成、及び効果は、以下の実施形態の説明により明らかにされる。
【図面の簡単な説明】
【００２１】
【図１】第１の実施形態における映像情報管理システムの概要を示す図である。
【図２】第１の実施形態における映像情報管理システムの機能構成の一例を示すブロック図である。
【図３】第１の実施形態における読取情報のデータ構造の一例を示す図である。
【図４】第１の実施形態における録画録音個別情報のデータ構造の一例を示す図である。
【図５】第１の実施形態における映像情報管理装置のハードウェア構成例を示す図である。
【図６】第１の実施形態における医療機関端末装置による映像オリジナルファイル取得処理の一例を示すフローチャートである。
【図７】第１の実施形態における映像オリジナルファイル加工処理の一例を示すフローチャートである。
【図８】第１の実施形態における編集映像生成処理の一例を示すフローチャートである。
【図９】第１の実施形態における編集映像表示処理の一例を示すシーケンス図である。
【図１０】カルテ表示画面の一例を示す図である。
【図１１】編集映像要求画面及び編集映像表示画面の一例を示す図である。
【図１２】第２の実施形態における映像情報管理システムの機能構成の一例を示すブロック図である。
【図１３】第２の実施形態における位置関連情報のデータ構造の一例を示す図である。
【図１４】第２の実施形態における映像オリジナルファイル加工処理の一例を示すフローチャートである。
【発明を実施するための形態】
【００２２】
＜第１の実施形態＞
【００２３】
以下、図面に基づいて本発明の第１の実施形態の概要を説明する。図１は、第１の実施形態の映像情報管理システム１の概要を示す図である。
【００２４】
一般的に、複数の当事者を撮影する場合において、一部の当事者が優位であって、他の当事者との利益が相反する場合、撮影された映像を他の当事者が取得することは困難といえる。また、他の当事者が映像を取得できたとしても、該当事者にとって必要な部分が、優位な当事者によって削除されている可能性がある。特に、当事者間の利害が対立する場合において、一部の当事者が優位な状況で撮影された映像を他方の当事者が公平に得ることは困難である。映像情報管理システム１は、当事者が映像を取得する際の公平性を担保する。
【００２５】
図１には、医療機関において映像情報管理システム１を用いる例を記載している。医療機関において患者が診察を受ける状況を撮影する場合、医療機関の任意に基づいて編集されたものでない、公平な映像を患者側が取得することは、困難である場合がある。映像情報管理システム１は、医療機関の任意に基づかずに自動的に患者ごとに映像を切り出し、患者側を含む当事者に提供することを目的とする。
【００２６】
医療機関には、１又は複数の診察室があり、各々の診察室において医師が患者を診察する。特定の医師が診察室にいる間、１又は複数の患者が診察室を出入りする。診察室では、複数の患者に渡って診察状況が撮影されている。
【００２７】
医者は医者用カードを有し、患者は患者用カードを有している。映像情報管理システム１では、医者用カードと患者用カードとに含まれる情報に基づいて、医者と患者とが対面状況にあるか否かを判定する。各々が対面状況にあると判定する場合、映像情報管理システム１は映像を切り出し、患者ごとに管理する。
【００２８】
映像情報管理システム１は、映像情報管理装置１０と、医療機関端末装置２０と、再生端末装置３０と、読取装置４０と、撮影装置５０とを含む。映像情報管理装置１０と、医療機関端末装置２０と、再生端末装置３０とは、ネットワーク６０を介して接続される。読取装置４０及び撮影装置５０は、医療機関端末装置２０と無線ＬＡＮ（Local Area Network）を介して接続される。なお、読取装置４０及び撮影装置５０は、Ｂｌｕｅｔｏｏｔｈ（登録商標）等、他のローカルネットワークを介して医療機関端末装置２０と接続されていてもよい。
【００２９】
なお、ネットワーク６０は、インターネット等の公衆通信網、ＷＡＮ（Wide Area Network）、又はＶＰＮ（Virtual Private Network）等の一般公衆回線を一部又は全部に用いた通信網である。また、読取装置４０及び撮影装置５０は医療機関端末装置２０に含まれるものであってもよいし、再生端末装置３０は映像情報管理装置１０又は医療機関端末装置２０に含まれるものであってもよい。
【００３０】
医療機関端末装置２０は、医療機関の内部に設置されるＰＣ（Personal Computer）、スマートフォン、又はタブレット等の情報処理装置である。映像情報管理装置１０は、ＰＣ又はサーバーコンピューター等の装置であって、医療機関の外部に設置されることが望ましい。映像情報管理装置１０は、例えば映像情報管理サービスを行う事業主体に設置される。
【００３１】
医師は医師用カードを有し、患者は患者用カードを有する。医師用カード、及び患者用カードは、ＲＦＩＤ（radio frequency identifier）等のＩＣ（integrated circuit）タグを内蔵している。ＩＣタグにはタグ情報が記憶される。タグ情報には、カードを有する者の択一的な属性を含む値が記憶される。属性は、例えば「医師」、「患者」、又は「看護師」等を示す値であって、カードを有する者の立場を示す情報であるともいえる。なお、患者用カードはＩＣタグを含む診察券でもよい。また、医師用カード及び患者用カードに含まれるＩＣタグは、読取装置４０からの通信要求に応じて情報を送信する機器であるといえる。
【００３２】
読取装置４０は、ＩＣタグからタグ情報を読み取ることのできる装置である。読取装置４０は、通信可能範囲に定期的に電波を送信しており、ＩＣタグが通信可能範囲に入ると電波への応答としてタグ情報を受信する。撮影装置５０は、音声情報付き動画の撮影が可能なカメラである。
【００３３】
例えば診察開始時刻になり、医療機関端末装置２０が起動されると、撮影装置５０は撮影を開始する。撮影装置５０は診察室に出入りする複数の患者に渡って診察状況の撮影を継続し、診察終了時刻になると撮影を終了する。医療機関端末装置２０は撮影装置５０により撮影された映像を映像オリジナルファイルとして取得し、映像情報管理装置１０へと送信する。なお、撮影装置５０は、医療機関端末装置２０を介さずに直接映像情報管理装置１０に映像オリジナルファイルを送信してもよい。
【００３４】
診察時間中に、医師用カードを有する医師が読取装置４０の通信可能範囲に入ると、読取装置４０は医師用カードに含まれるタグ情報を読み取り、医療機関端末装置２０に送信する。また、患者が読取装置４０の通信可能範囲に入ると、読取装置４０は患者用カードに含まれるＩＣタグからタグ情報を読み取り、医療機関端末装置２０に送信する。医療機関端末装置２０は、医師用カード及び患者用カードのタグ情報と該タグ情報を読み取った時刻とを映像情報管理装置１０に送信する。
【００３５】
また、医療機関端末装置２０は、患者用カードのタグ情報を受信すると、患者の身体状況に関するカルテ情報を表示する。医師は医療機関端末装置２０を操作せずとも、診察室に入った患者のカルテ情報を閲覧可能である。患者が退出のため読取装置４０の通信可能範囲から外れると、医療機関端末装置２０はカルテ情報を保存し、映像情報管理装置１０に送信する。
【００３６】
映像情報管理装置１０は、タグ情報を用いて、医者と患者とが対面状況にあるか否かを判定する。映像情報管理装置１０は、医師と患者との距離が所定距離以下である場合に対面状況にあると判定し、医者と患者との距離が所定距離以下である時刻帯を特定し、診察室を撮影した映像オリジナルファイルから該時刻帯の映像を切り出す。切り出された映像は、編集映像として映像情報管理装置１０に記憶される。また、映像情報管理装置１０は、編集映像に映った患者のカルテ情報を、編集映像と関連付けて記憶する。
【００３７】
再生端末装置３０は、編集映像を表示するための装置である。患者を特定する情報と診察日時との入力を受け付けると、再生端末装置３０は映像情報管理装置１０に編集映像を要求し、要求の結果取得した編集映像を表示する。
【００３８】
本実施形態では、複数の患者に渡って撮影された映像から、患者ごとの診察映像を効率的に得ることができる。また、患者ごとの診察映像を得る過程で医療機関側の操作を要しないため、公平性が担保された診察映像を得ることができる。
【００３９】
図２は、第１の実施形態における映像情報管理システム１の機能構成の一例を示すブロック図である。
【００４０】
映像情報管理装置１０は、制御部１１０と、通信部１２０と、入力部１３０と、出力部１４０と、記憶部１５０と、を備える。制御部１１０は、映像オリジナルファイルからの編集映像の取得に関する制御や、編集映像及びカルテ情報等の管理に関する制御を行う。通信部１２０は、医療機関端末装置２０や再生端末装置３０に対して、情報の送信や受信を行う。
【００４１】
入力部１３０は、操作者からの入力操作を受け付ける。出力部１４０は、映像情報管理装置１０が記憶する情報を表示装置やプリンタ等へ出力する。記憶部１５０は、映像オリジナルファイル、編集映像、及びカルテ情報等を記憶するほか、映像オリジナルファイルから編集映像を取得するために必要な情報を記憶する。
【００４２】
制御部１１０は、映像取得部１１１と、タグ情報取得部１１２と、対面判定部１１３と、映像編集部１１４と、カルテ情報取得部１１５と、を備える。映像取得部１１１は、医療機関端末装置２０から映像オリジナルファイルを取得する。
【００４３】
タグ情報取得部１１２は、読取装置４０により読み取られたタグ情報と、該タグ情報を読み取った読取装置４０を特定する情報とを医療機関端末装置２０から取得する。対面判定部１１３は、異なる属性を有するタグ情報を含む複数のＩＣタグが、対面状況にあるか否かを判定する。対面判定部１１３は、「患者」の属性を含むタグ情報のＩＣタグと、他の属性を含むタグ情報のＩＣタグとが所定距離内にある場合に、両者が対面状況にあると判定する。対面判定部１１３は、対面判定部１１３は、共通する読取装置４０により読み取られたＩＣタグを所定距離内にあると判定する。
【００４４】
また、対面判定部１１３は、複数のＩＣタグの間隔が所定距離以下となった時刻を開始時刻として特定し、その後所定距離を上回る距離となった時刻を終了時刻として時刻帯を特定する。
【００４５】
映像編集部１１４は、対面判定部１１３が特定した開始時刻から開始され終了時刻で終了する編集映像を映像オリジナルファイルから切り出して記憶部１５０に記憶させる。映像編集部１１４は、編集映像を切り出した後、映像オリジナルファイルに対して、編集映像に対する処理と異なる処理を行う。
【００４６】
具体的には、映像編集部１１４は、編集映像を切り出した後に映像オリジナルファイルを削除する。なお、映像編集部１１４は、例えば編集映像と異なる圧縮アルゴリズムで映像オリジナルファイルを圧縮し、記憶部１５０に記憶させるものであってもよい。例えば、映像編集部１１４は、画素数を削減したり、フレームレートを低下させたり、インターレース画像への変換を行う等により、映像オリジナルファイルの情報量を削減する。
【００４７】
また、映像編集部１１４は、医療機関端末装置２０から受信したカルテ情報を、タグ情報が関連する編集映像に関連付けて記憶部１５０に記憶させる。
【００４８】
カルテ情報取得部１１５は、医療機関端末装置２０からカルテ情報を受信する。カルテ情報は、タグ情報に含まれる、患者を特定する識別情報と関連付けられている。
【００４９】
記憶部１５０は、映像オリジナルファイル１５１と、カルテ情報１５２と、編集映像１５３と、読取情報１５４と、録画録音個別情報１５５と、を記憶する。
【００５０】
映像オリジナルファイル１５１は、撮影装置５０により撮影された映像であって、例えば診察開始時刻から診察終了時刻まで継続して撮影されている。映像オリジナルファイル１５１には、撮影日時と、撮影装置５０から該映像オリジナルファイル１５１を受信した医療機関端末装置２０を特定する医療機関端末装置識別子とが関連付けられている。カルテ情報１５２は、医療機関端末装置２０から送信される電子カルテである。編集映像１５３は、開始時刻から終了時刻までの時刻帯における映像であって、映像オリジナルファイル１５１から切り出された映像である。
【００５１】
読取情報１５４は、読取装置４０により読み取られたタグ情報に関する情報である。録画録音個別情報１５５は、編集映像１５３に関する情報である。読取情報１５４及び録画録音個別情報１５５については後述する。
【００５２】
医療機関端末装置２０は、制御部２１０と、記憶部２２０とを備える。制御部２１０は、映像オリジナルファイルやタグ情報の映像情報管理装置１０への送信や、カルテ情報の表示等の制御を行う。記憶部２２０は、カルテ情報を記憶する。
【００５３】
制御部２１０は、撮影部２１１と、タグ読取部２１２と、表示制御部２１３とを備える。撮影部２１１は、撮影装置５０により撮影された所定の撮影範囲の映像を映像オリジナルファイルとして記録し、映像情報管理装置１０に送信する。なお、撮影部２１１は、属性が「医師」であるタグ情報と、属性が「患者」であるタグ情報とがタグ読取部２１２により読み取られた場合に、医師が有するＩＣタグと、患者が有するＩＣタグとの中間地点を自動的に追尾するよう撮影装置５０を制御してもよい。これにより、例えば診察室が狭小であるなど、診察位置に対して撮影装置５０の撮影可能範囲が限定される場合等にも、確実に両者を撮影することができる。
【００５４】
タグ読取部２１２は、読取装置４０を用いたタグ情報の読み取りを行う。表示制御部２１３は、属性が「医師」であるタグ情報と、属性が「患者」であるタグ情報とが読み取られたか否かを判定する。表示制御部２１３が、「医師」の属性を有するタグ情報及び「患者」の属性を有するタグ情報が読み取られたと判定すると、表示制御部２１３は、属性が「患者」であるタグ情報の識別情報を用いて患者のカルテ情報を特定し、表示装置に表示させる。
【００５５】
記憶部２２０は、カルテ情報２２１を記憶する。カルテ情報２２１は、患者の電子カルテであって、患者を特定する識別情報と関連付けられている。
【００５６】
再生端末装置３０は、制御部３１０を備える。制御部３１０は、映像情報管理装置１０が有する編集映像の取得及び再生に関する制御を行う。制御部３１０は、映像要求部３１１と、表示制御部３１２とを備える。
【００５７】
映像要求部３１１は、映像情報管理装置１０に対して編集映像の要求情報を送信する。編集映像の要求情報には、診察日時と、患者を特定する識別情報とが含まれている。表示制御部３１２は、患者を特定する識別情報と診察日時との入力を受け付ける編集映像要求画面と、医療機関端末装置２０から取得した編集映像を表示する編集映像表示画面とを表示装置に対して表示させる。
【００５８】
次に、記憶部１５０に含まれる各情報について説明する。
【００５９】
図３は、第１の実施形態における読取情報１５４のデータ構造の一例を示す図である。読取情報１５４は、読取装置識別子１５４ａと、タグ識別子１５４ｂと、タグ属性１５４ｃと、読取日時１５４ｄと、医療機関端末装置識別子１５４ｅとを含む。
【００６０】
読取装置識別子１５４ａは、読取装置４０を特定する識別情報である。タグ識別子１５４ｂは、読取装置識別子１５４ａにより特定される読取装置４０により読み取られたタグ情報を特定する識別情報である。なお、タグ識別子１５４ｂにより、カードを有する医者又は患者を特定しうるため、タグ識別子１５４ｂは医者を特定する識別情報又は患者を特定する識別情報として機能する。
【００６１】
タグ属性１５４ｃは、カードを有する者の択一的な属性を示す値である。例えば、タグ属性１５４ｃは、「医者」、「患者」、又は「看護師」を示す情報である。読取日時１５４ｄは、読取装置識別子１５４ａにより特定される読取装置４０がタグ識別子１５４ｂにより特定されるタグ情報を読み取った日時を示す情報である。医療機関端末装置識別子１５４ｅは、読取情報１５４を映像情報管理装置１０に送信した医療機関端末装置２０を特定する識別情報である。
【００６２】
図４は、第１の実施形態における録画録音個別情報１５５のデータ構造の一例を示す図である。録画録音個別情報１５５は、編集映像識別子１５５ａと、開始時刻１５５ｂと、終了時刻１５５ｃと、映像オリジナルファイル識別子１５５ｄと、カルテ情報識別子１５５ｅと、読取装置識別子１５５ｆと、を含む。
【００６３】
編集映像識別子１５５ａは、編集映像を特定する識別情報である。開始時刻１５５ｂは、編集映像識別子１５５ａにより特定される編集映像の録画開始時刻を示す情報である。終了時刻１５５ｃは、該編集映像の録画終了時刻を示す情報である。映像オリジナルファイル識別子１５５ｄは、編集映像識別子１５５ａにより特定される編集映像の切り出し元である映像オリジナルファイルを特定する識別情報である。
【００６４】
カルテ情報識別子１５５ｅは、編集映像識別子１５５ａにより特定される編集映像の生成の際に用いられた、患者用カードの識別情報と関連付けられたカルテ情報を特定する識別情報である。読取装置識別子１５５ｆは、編集映像識別子１５５ａにより特定される映像の生成の際に用いたタグ情報を読み取った読取装置４０を特定する情報である。
【００６５】
図５は、第１の実施形態における映像情報管理装置１０のハードウェア構成例を示す図である。映像情報管理装置１０は、演算装置１１と、メモリ１２と、外部記憶装置１３と、入力ＩＦ（Interface）１４と、出力ＩＦ１５と、通信ＩＦ１６と、記憶媒体駆動装置１７とを備え、各構成要素はバスにより接続されている。
【００６６】
演算装置１１はＣＰＵ（Central Processing Unit）等の演算装置であり、メモリ１２又は外部記憶装置１３に記録されたプログラムに従って処理を実行する。映像情報管理装置１０では、メモリ１２又は外部記憶装置１３上に読み出されたプログラムに従って動作する演算装置１１により処理が行われる。制御部１１０を構成する各処理部は、演算装置１１がプログラムを実行することにより各々の機能を実現する。
【００６７】
メモリ１２は、ＲＡＭ（Random Access Memory）又はフラッシュメモリ等の記憶装置であり、プログラムやデータが一時的に読み出される記憶エリアとして機能する。外部記憶装置１３は、例えばＨＤＤ（Hard Disk Drive）や、ＣＤ-Ｒ（Compact Disc- Recordable）、ＤＶＤ-ＲＡＭ（Digital Versatile Disk-Random Access Memory）等の書き込み及び読み出し可能な記憶メディア及び記憶メディア駆動装置等である。記憶部１５０は、メモリ１２又は外部記憶装置１３によりその機能が実現される。なお、記憶部１５０は、通信ＩＦ１６を介して接続される記憶装置によってその機能が実現されてもよい。
【００６８】
入力ＩＦ１４は、操作者からの入力操作を受け付けるためのインターフェイスであり、例えばタッチパネル、キーボード、マウス、マイク等の入力装置が接続される。出力ＩＦ１５は、映像情報管理装置１０に内蔵されたＬＣＤ（Liquid Crystal Display）ディスプレイ等の表示装置等に対して情報を出力するためのインターフェイスである。
【００６９】
通信ＩＦ１６は、映像情報管理装置１０をネットワーク６０に接続するためのインターフェイスであって、例えばＬＡＮ（Local Area Network）カード等の通信デバイスが接続される。通信部１２０は、通信ＩＦ１６によりその機能が実現される。記憶媒体駆動装置１７は、ＣＤ（Compact Disk）やＤＶＤ（Digital Versatile Disk）等の可搬性のメディア１８から情報を入出力する装置である。
【００７０】
なお、映像情報管理装置１０の各構成要素の処理は、１つのハードウェアで実行されてもよいし、複数のハードウェアで実行されてもよい。また、映像情報管理装置１０の各構成要素の処理は、１つのプログラムで実現されてもよいし、複数のプログラムで実現されてもよい。
【００７１】
また、医療機関端末装置２０、及び再生端末装置３０のハードウェア構成は、映像情報管理装置１０と同様であるため、説明を省略する。医療機関端末装置２０の通信ＩＦには、読取装置４０及び撮影装置５０が接続される。
【００７２】
図６は、第１の実施形態における医療機関端末装置２０による映像オリジナルファイル取得処理の一例を示すフローチャートである。本処理は、例えば医療機関端末装置２０が起動した時に開始される。
【００７３】
まず、撮影部２１１が撮影装置５０を用いて撮影を開始する（ステップＳ１０１）。
【００７４】
次に、タグ読取部２１２が医師用カードを検知する（ステップＳ１０２）。タグ読取部２１２は、定期的に通信可能範囲に電波を送信しており、医師用カードを有する医師が読取装置４０の通信可能範囲に近づくと、タグ読取部２１２は医師用カードに含まれるＩＣタグのタグ情報を読み取る。
【００７５】
次に、タグ読取部２１２は、読み取った医師用カードのタグ情報を映像情報管理装置１０に送信する（ステップＳ１０３）。なお、タグ読取部２１２は、電波への応答として受信したタグ情報を、例えば受信の都度映像情報管理装置１０に送信している。
【００７６】
次に、タグ読取部２１２は、患者用カードを検知する（ステップＳ１０４）。患者用カードを有する患者が読取装置４０の通信可能範囲に近づくと、タグ読取部２１２は患者用カードに含まれるＩＣタグのタグ情報を読み取る。
【００７７】
次に、タグ読取部２１２は、読み取った患者用カードのタグ情報を映像情報管理装置１０に送信する（ステップＳ１０５）。なお、ステップＳ１０２からステップＳ１０３において行われる処理と、ステップＳ１０４からステップＳ１０５において行われる処理とは、順序を問わない。
【００７８】
また、前述したように、医師用カードと患者用カードとが読み取られた場合に、これらのカードが有するＩＣタグの中間地点を自動追尾するよう撮影部２１１が撮影装置５０を制御してもよい。その場合、撮影部２１１は、属性が「患者」であるＩＣタグと、属性が「医師」であるＩＣタグとの中間地点を例えば定期的に特定し、撮影装置５０に通知して自動追尾させる。
【００７９】
次に、表示制御部２１３は、カルテを表示する（ステップＳ１０６）。表示制御部２１３は、タグ読取部２１２が読み取ったタグ情報の属性を参照し、「医師」の属性を有するタグ情報と、「患者」の属性を有するタグ情報が読み取られたと判定すると、「患者」の属性を有するタグ情報のタグ識別子を参照する。表示制御部２１３は、該タグ識別子を用いて、記憶部２２０から患者の電子カルテを特定し、出力部を介して電子カルテを表示させる。
【００８０】
図１０は、カルテ表示画面２３０の一例を示す図である。カルテ表示画面２３０は、医師識別子表示領域２３１と、患者識別子表示領域２３２と、電子カルテ表示領域２３３と、を含む。医師識別子表示領域２３１は、診察を行っている医師を特定する識別情報を表示する領域である。表示制御部２１３は、タグ読取部２１２により読み取られたタグ情報のうち、属性が「医師」であるタグ情報のタグ識別子を、医師識別子表示領域２３１に表示させる。
【００８１】
患者識別子表示領域２３２は、診察を受ける患者を特定する識別情報を表示する領域である。表示制御部２１３は、タグ読取部２１２により読み取られたタグ情報のうち、属性が「患者」であるタグ情報のタグ識別子を、患者識別子表示領域２３２に表示させる。
【００８２】
電子カルテ表示領域２３３は、診察対象である患者の電子カルテを表示する領域である。表示制御部２１３は、患者識別子表示領域２３２に表示する患者の識別情報と関連付けられた電子カルテを記憶部２２０から特定し、電子カルテ表示領域２３３に表示させる。
【００８３】
説明を図６に戻す。次に、タグ読取部２１２は、患者用カードの読み取りを終了する（ステップＳ１０７）。患者が通信可能範囲から退出すると、タグ読取部２１２は患者用カードを検知しなくなる。
【００８４】
次に、タグ読取部２１２は、患者用カードの非検知を映像情報管理装置１０に送信する（ステップＳ１０８）。タグ読取部２１２は、定期的に送信している電波への応答として受信したタグ情報を、例えば受信の都度映像情報管理装置１０に送信するが、患者用カードが読み取られなくなった場合には、読み取っているタグ情報（現時点では医師用カードのタグ情報）のみを映像情報管理装置１０に送信する。
【００８５】
次に、表示制御部２１３はカルテ情報を映像情報管理装置１０に送信する（ステップＳ１０９）。表示制御部２１３は、タグ読取部２１２により属性が「患者」であるタグ情報が読み取られなくなると、表示しているカルテ情報を記憶部２２０に記憶させる。また、表示制御部２１３は、カルテ情報を映像情報管理装置１０に対して送信する。
【００８６】
なお、カルテ情報の記憶及び送信は、医療機関端末装置２０への操作に基づいて行われてもよい。例えば医療機関端末装置２０の制御部２１０は、カルテ情報の保存指令の操作を受け付けると、カルテ情報を記憶部２２０に記憶させ、映像情報管理装置１０に対して送信する。
【００８７】
本ステップの処理の後、他の患者が診察室に入った場合には、ステップＳ１０４からステップＳ１０９までの処理が繰り返される。
【００８８】
次に、医療機関端末装置２０の制御部２１０は、当該医療機関端末装置２０の電源切断指示を受け付ける（ステップＳ１１０）。制御部２１０は、例えば診察時間が終了する際に、操作者の操作による電源切断指示を受け付ける。
【００８９】
次に、撮影部２１１は、撮影装置５０を用いた撮影を終了する（ステップＳ１１１）。撮影が終了されると、撮影部２１１は撮影装置５０から映像オリジナルファイルを取得する。
【００９０】
次に、撮影部２１１は、取得した映像オリジナルファイルを映像情報管理装置１０に送信する（ステップＳ１１２）。なお、映像オリジナルファイルを受信した映像情報管理装置１０では、受信した映像オリジナルファイルが記憶部１５０に記憶される。その後、医療機関端末装置２０の制御部２１０は、医療機関端末装置２０の電源を切断し、本フローチャートの処理を終了する。
【００９１】
なお、ステップＳ１０３、ステップＳ１０５、及びステップＳ１０８において行われるタグ情報の送信は、本フローチャートに示す順序に従って映像情報管理装置１０に送信されるものでなくともよい。例えば、ステップＳ１１２に示す映像オリジナルファイルの送信後に送信されるものであってもよい。
【００９２】
また、ステップＳ１１２に示す映像オリジナルファイルの送信についても、本順序に限定されない。例えば、ステップＳ１０１において撮影が開始された後に、撮影した分の映像オリジナルファイルを順次映像情報管理装置１０に送信してもよい。
【００９３】
本実施形態により、医療機関端末装置２０を操作する医師は、患者を特定する情報を入力せずとも診察対象である患者の電子カルテを閲覧することができる。
【００９４】
図７は、第１の実施形態における映像オリジナルファイル加工処理の一例を示すフローチャートである。映像情報管理装置１０は、医療機関端末装置２０から受信した映像オリジナルファイルを加工し、編集映像を生成する。なお、本処理開始前に、映像情報管理装置１０の映像取得部１１１は、医療機関端末装置２０から取得した映像オリジナルファイルを記憶部１５０に記憶させている。また、タグ情報取得部１１２は、医療機関端末装置２０から送信されたタグ情報を取得し、読取情報１５４を生成して記憶部１５０に記憶させている。映像情報管理装置１０は、例えば定期的に本フローチャートの処理を実行する。
【００９５】
まず、映像編集部１１４は、映像オリジナルファイルを特定する（ステップＳ２０１）。映像編集部１１４は、記憶部１５０に記憶されている映像オリジナルファイル１５１から、加工対象となる任意の映像オリジナルファイルを特定する。前述したように、映像オリジナルファイルには、映像オリジナルファイルを撮影装置５０から取得した医療機関端末装置２０を特定する医療機関端末装置識別子と、撮影を開始した日時と、が関連付けられている。
【００９６】
次に、映像編集部１１４は、特定した映像オリジナルファイルの撮影日に読み取られた読取情報１５４を抽出する（ステップＳ２０２）。映像編集部１１４は、ステップＳ２０１で特定された映像オリジナルファイルの撮影日時及び医療機関端末装置識別子を用いて読取情報１５４を参照し、対応する読取日時１５４ｄ及び医療機関端末装置識別子１５４ｅを含む読取情報１５４のレコードを抽出する。
【００９７】
次に、映像編集部１１４は、属性の異なる複数のタグ情報が読み取られている期間を抽出する（ステップＳ２０３）。映像編集部１１４は、ステップＳ２０２で抽出した読取情報１５４のレコードのうち、読取日時１５４ｄが同時であってタグ属性１５４ｃが異なる複数のレコードの組み合わせを抽出する。なお、読取日時１５４ｄが同時であるとは、一般的に許容しうる時間差（例えば５秒以内）を有する場合を含む。
【００９８】
映像編集部１１４は、抽出した組み合わせのうち、タグ属性１５４ｃが「患者」であるタグ情報が読み取られている期間をさらに抽出する。映像編集部１１４は、抽出した組み合わせに基づいて、異なる属性のうち「患者」の属性を含むタグ情報が読み取られている１又は複数の期間を抽出する。
【００９９】
次に、映像編集部１１４は、抽出した期間のうち１つを特定する（ステップＳ２０４）。
【０１００】
次に、制御部１１０は、編集映像を生成する（ステップＳ２０５）。本ステップにおける処理は後に詳述する。本ステップの処理の結果、ステップＳ２０１において特定した映像オリジナルファイルから編集映像が生成される。
【０１０１】
次に、映像編集部１１４は、ステップＳ２０４で抽出した期間をすべて特定したか否かを判定する（ステップＳ２０６）。
【０１０２】
映像編集部１１４が、抽出した期間をすべて特定していないと判定する場合（ステップＳ２０６で「ＮＯ」の場合）、映像編集部１１４は、また特定していない他の期間を特定する（ステップＳ２０７）。その後、映像編集部１１４はステップＳ２０５以降の処理を行う。
【０１０３】
映像編集部１１４が、抽出した期間をすべて特定したと判定する場合（ステップＳ２０６で「ＹＥＳ」の場合）、映像編集部１１４は、ステップＳ２０１で特定した映像オリジナルファイルを削除する（ステップＳ２０８）。なお、先述したように、映像編集部１１４は、ステップＳ２０１で特定した映像オリジナルファイルを削除する代わりに、編集映像とは異なる圧縮率で映像オリジナルファイルを圧縮し、記憶部１５０の図示しない領域に記憶させるものであってもよい。その後、映像情報管理装置１０の制御部１１０は本フローチャートの処理を終了する。
【０１０４】
図８は、第１の実施形態における編集映像生成処理の一例を示すフローチャートである。本フローチャートは、図７のステップＳ２０５で行われる編集映像の生成処理をより詳細に説明するものである。
【０１０５】
まず、対面判定部１１３は、特定した期間が開始された時刻を開始時刻として特定する（ステップＳ２０５１）。対面判定部１１３は、図７に示すステップＳ２０４で特定した期間が開始される時刻を、開始時刻として特定する。換言すれば、対面判定部１１３は、属性の異なる複数のタグ情報が読み取られ始めたタイミング、つまり属性の異なる複数のカードが所定距離以下となったタイミングを、開始時刻として特定する。
【０１０６】
次に、対面判定部１１３は、特定した期間が終了する時刻を終了時刻として特定する（ステップＳ２０５２）。対面判定部１１３は、ステップＳ２０４で特定した期間が終了する時刻を、終了時刻として特定する。換言すれば、対面判定部１１３は、開始時刻以降、タグ属性の異なる複数のタグ情報の少なくとも１つが非検知となったタイミング、つまり属性の異なる複数のカードの距離が上記の所定距離を超える距離となったタイミングを、対面状況を解消したタイミングすなわち終了時刻として特定する。
【０１０７】
次に、映像編集部１１４は、開始時刻と終了時刻とを用いて映像オリジナルファイルから切り出して、編集映像を生成する（ステップＳ２０５３）。具体的には、映像編集部１１４は、映像オリジナルファイルと関連付けられている該映像オリジナルファイルの撮影開始日時と、ステップＳ２５０１及びステップＳ２０５２で特定した開始時刻及び終了時刻とを用いて、編集映像の切り出し位置を特定する。映像編集部１１４は、開始時刻から終了時刻までの時刻帯における映像を映像オリジナルファイルから切り出し、編集映像１５３として記憶部１５０に記憶させる。
【０１０８】
次に、カルテ情報取得部１１５は、患者のタグ識別子を用いてカルテ情報を取得する（ステップＳ２０５４）。具体的には、カルテ情報取得部１１５は、ステップＳ２０４で特定した期間を読取日時１５４ｄとし、「患者」のタグ属性１５４ｃを有し、ステップＳ２０１で特定された映像オリジナルファイルと関連付けられた医療機関端末装置識別子を医療機関端末装置識別子１５４ｅに有する読取情報１５４のレコードを特定する。カルテ情報取得部１１５は、特定した読取情報１５４のレコードに含まれるタグ識別子１５４ｂと読取日時１５４ｄとを特定する。
【０１０９】
カルテ情報取得部１１５は、特定した読取時刻とタグ識別子とを用いて、医療機関端末装置２０に対してカルテ情報を要求する。医療機関端末装置２０の制御部２１０は、記憶部２２０を参照し、該読取時刻と対応する時刻に生成されたカルテ情報のうち、要求された患者のカルテ情報を特定し、映像情報管理装置１０に送信する。カルテ情報取得部１１５は、取得したカルテ情報をカルテ情報１５２として記憶部１５０に記憶させる。
【０１１０】
なお、医療機関端末装置２０の制御部２１０は、カルテ情報の生成の都度、映像情報管理装置１０にカルテ情報を送信してもよい。その場合には、カルテ情報取得部１１５は、受信したカルテ情報を記憶部１５０に記憶させる。また、カルテ情報取得部１１５は、編集映像を生成した後、記憶部１５０に記憶されたカルテ情報から編集映像に係る患者について生成されたカルテ情報を特定する。
【０１１１】
次に、映像編集部１１４は、録画録音個別情報１５５を生成する（ステップＳ２０５５）。映像編集部１１４は、ステップＳ２０５１で特定した開始時刻を開始時刻１５５ｂに、ステップＳ２０５２で特定した終了時刻を終了時刻１５５ｃに、ステップＳ２０１で特定した映像オリジナルファイルを特定する識別情報を映像オリジナルファイル識別子１５５ｄに、ステップＳ２０５４で取得したカルテ情報を特定する識別情報をカルテ情報識別子１５５ｅに、編集映像の生成に用いたタグ情報を読み取った読取装置４０を識別する識別情報を読取装置識別子１５５ｆに、各々関連付けて録画録音個別情報１５５を生成し、編集映像識別子１５５ａを付与して記憶部１５０に記憶させる。
【０１１２】
その後、映像情報管理装置１０の制御部１１０は、処理を図７に示すステップＳ２０６に進める。
【０１１３】
本実施形態では、医療機関端末装置２０とは別の映像情報管理装置１０の処理により、患者ごとの診察状況を記録した編集映像が得られる。編集映像の取得は操作を介さずに行われるため、操作者の恣意により編集が行われることを予防しうる。また、患者ごとの診察映像を得るために操作を必要としないため、効率的である。
【０１１４】
また、必要な部分の映像を編集映像として切り取り、他の部分を削除又は圧縮して保存するため、診察開始時刻から診察終了時刻まで継続する映像情報を保存する場合に比べ、必要とする記憶容量を削減することができる。
【０１１５】
図９は、第１の実施形態における編集映像表示処理の一例を示すシーケンス図である。再生端末装置３０において、編集映像要求画面の表示指示の入力を受け付けた場合に、本シーケンスが開始される。
【０１１６】
まず、再生端末装置３０の表示制御部３１２は、編集映像要求画面を表示する（ステップＳ３０１）。
【０１１７】
図１１は、第１の実施形態における編集映像要求画面２４０及び編集映像表示画面２５０の一例を示す図である。図１１（ａ）は、編集映像要求画面２４０の一例を示す。編集映像要求画面２４０は、患者識別子入力領域２４１と、撮影日入力領域２４２と、を含む。
【０１１８】
患者識別子入力領域２４１は、患者を特定する識別情報の入力を受け付ける領域である。撮影日入力領域２４２は、患者の診察を行った日付の入力を受け付ける領域である。
【０１１９】
説明を図９に戻す。次に、映像要求部３１１は、患者の識別情報と、撮影日との入力を受け付ける（ステップＳ３０２）。映像要求部３１１は、患者識別子入力領域２４１に入力された患者の識別情報と、撮影日入力領域２４２に入力された撮影日と、を取得して編集映像の要求情報を生成し、映像情報管理装置１０に送信する。
【０１２０】
次に、映像情報管理装置１０の映像編集部１１４は、録画録音個別情報１５５を参照して編集映像識別子を特定する（ステップＳ３０３）。映像編集部１１４は、編集映像の要求情報に含まれる患者の識別情報と、撮影日と、を用いて録画録音個別情報１５５を参照し、対応する編集映像識別子１５５ａを特定する。
【０１２１】
次に、映像編集部１１４は、特定した編集映像識別子で識別される編集映像を再生端末装置３０に送信する（ステップＳ３０４）。
【０１２２】
次に、再生端末装置３０の表示制御部３１２は、編集映像を表示する（ステップＳ３０５）。その後、映像情報管理装置１０の制御部１１０、及び再生端末装置３０の制御部３１０は、本シーケンスを終了する。
【０１２３】
説明を図１１に戻す。図１１（ｂ）は、編集映像表示画面２５０の一例である。表示制御部３１２は、編集映像表示画面２５０の編集映像表示領域２５１に、映像情報管理装置１０から受信した編集映像を表示させる。
【０１２４】
以上が、第１の実施形態における編集映像表示処理である。本実施形態により、患者ごとに編集された編集映像を容易に表示させることができる。なお、再生端末装置３０を医療機関外部に設ければ、医療機関と利害が対立する患者においても容易に編集映像を参照することができ、公平性が担保される。換言すれば、当事者の一方が優位な状況で撮影された映像についても、優位な当事者の恣意によらずに当事者毎に映像を得ることができ、優位でない当事者においても得られた映像を公平に取得し得る。
【０１２５】
なお、本実施形態では、編集映像の生成に用いるタグ情報を読み取った読取装置４０と、カルテ情報の表示に用いる読取装置４０とは、共通するものとして説明を行った。しかしながら、各々の読取装置４０は異なるものであってもよい。その場合、記憶部２２０の図示しない領域に、読取装置４０を特定する情報と、「編集映像の生成」又は「カルテ情報の表示」等の読取装置４０の用途を示す情報とを関連付けて記憶させる。
【０１２６】
図６に示す映像オリジナルファイル取得処理において、医療機関端末装置２０の表示制御部２１３は、「カルテ情報の表示」の用途と関連付けられた読取装置４０に、属性が「患者」であるタグ情報が読み取られた場合に、カルテ情報を表示する（ステップＳ１０６）。また、図８に示す編集映像生成処理において、対面判定部１１３は、「編集映像の生成」の用途と関連付けられた読取装置４０に読み取られたレコードを読取情報１５４から抽出することにより、編集映像の生成対象となる時刻帯を特定する。
【０１２７】
これにより、電子カルテの表示タイミングと、編集映像の開始タイミングとを異ならせることができる。例えば、電子カルテの表示タイミングを、編集映像の開始タイミングよりも早くなるよう読取装置４０を定義付けることで、医師は編集映像の開始時刻よりも早く電子カルテを閲覧することができる。なお、また、カルテ表示画面２３０が映像オリジナルファイルに映るように撮影装置５０を設置すれば、カルテ表示画面２３０を確実に編集映像に写り込ませることができる。
【０１２８】
＜第２の実施形態＞
【０１２９】
次に、第２の実施形態における映像情報管理システム１について説明する。本実施形態では、医師及び患者がＧＰＳモジュールを有しており、映像情報管理装置１０はＧＰＳモジュールを用いて取得される位置情報に基づいて編集映像の生成を行う。なお、医者及び患者はＧＰＳモジュールの他にＩＣタグを含むカードも有しており、カードが読み取られると医療機関端末装置２０に電子カルテが表示される。以下、上述の実施形態と異なる点について説明する。
【０１３０】
図１２は、第２の実施形態における映像情報管理システム１の機能構成の一例を示すブロック図である。本実施形態における映像情報管理装置１０の制御部１１０は、位置情報取得部１１６を備える。また、映像情報管理装置１０の記憶部１５０は、位置関連情報１５６を記憶する。
【０１３１】
位置情報取得部１１６は、医療機関端末装置２０がＧＰＳモジュールから受信した位置情報を取得する。記憶部１５０には、医師又は患者が有するＧＰＳモジュールを特定する情報と、医師又は患者が有するカードに含まれるＩＣタグのタグ情報とが予め関連付けられている。位置情報取得部１１６は、ＧＰＳモジュールを特定する情報に少なくとも位置情報を関連付けた位置関連情報１５６を生成し、記憶部１５０に記憶させる。なお、ＧＰＳモジュールは、位置情報を捕捉可能な機器であるといえる。
【０１３２】
位置関連情報１５６は、ＧＰＳモジュールを特定する情報と、該ＧＰＳモジュールを有する者が有するＩＣタグのタグ情報と、ＧＰＳモジュールの位置情報とを関連付けた情報である。
【０１３３】
医療機関端末装置２０の制御部２１０は、位置情報受信部２１４を備える。位置情報受信部２１４は、ＧＰＳモジュールからＢｌｕｅｔｏｏｔｈ（登録商標）等の通信回線を介して位置情報を受信する。位置情報受信部２１４は、受信した位置情報を映像情報管理装置１０に送信する。
【０１３４】
なお、映像情報管理装置１０の位置情報取得部１１６は、医療機関端末装置２０を介さずに直接ＧＰＳモジュールから位置情報を取得してもよい。位置情報取得部１１６は、ＧＰＳロガーとしての機能を有するＧＰＳモジュールにおいて蓄積された位置情報を直接取得する。その場合、医療機関端末装置２０は位置情報受信部２１４を有しないものであってもよい。
【０１３５】
図１３は、第２の実施形態における位置関連情報１５６のデータ構造の一例を示す図である。位置関連情報１５６は、モジュール識別子１５６ａと、タグ識別子１５６ｂと、タグ属性１５６ｃと、位置情報１５６ｄと、取得日時１５６ｅと、を含む。
【０１３６】
モジュール識別子１５６ａは、ＧＰＳモジュールを特定する識別情報である。タグ識別子１５６ｂは、モジュール識別子１５６ａにより特定されるＧＰＳモジュールを有する者が有するタグ情報を特定する識別情報である。タグ属性１５６ｃは、タグ識別子１５６ｂにより特定されるＩＣタグを有する者の属性を示す情報である。
【０１３７】
位置情報１５６ｄは、モジュール識別子１５６ａにより特定されるＧＰＳモジュールの位置を示す情報である。取得日時１５６ｅは、モジュール識別子１５６ａにより特定されるＧＰＳモジュールが、位置情報１５６ｄにより特定される位置にいるものとしてＧＰＳモジュールから出力された日時を示す情報である。
【０１３８】
図１４は、第２の実施形態における映像オリジナルファイル加工処理の一例を示すフローチャートである。本処理開始前に、医療機関端末装置２０はＧＰＳモジュールとタグ情報との入力を受け付け、医者又は患者ごとにモジュール識別子とタグ識別子とを関連付けて映像情報端末装置に送信している。また、映像情報管理装置１０の位置情報取得部１１６は、医療機関端末装置２０からＧＰＳモジュールの位置情報を受信し、位置関連情報１５６を生成している。映像取得部１１１が本処理開始前に映像オリジナルファイルを記憶部１５０に記憶させている点は、上述の実施形態と同様である。映像情報管理装置１０は、例えば定期的に本フローチャートの処理を実行する。
【０１３９】
ステップＳ４０１及びステップＳ４０２において行われる処理は、図７に示すステップＳ２０１及びステップＳ２０２において行われる処理と同様であるため、説明を省略する。
【０１４０】
次に、映像編集部１１４は、読取情報１５４に含まれるタグ情報を抽出する（ステップＳ４０３）。映像編集部１１４は、ステップＳ４０２で抽出した読取情報１５４に含まれるタグ識別子１５４ｂを抽出する。
【０１４１】
次に、映像編集部１１４は、映像オリジナルファイルの撮影日及び抽出したタグ情報と対応する位置情報を抽出する（ステップＳ４０４）。映像編集部１１４は、映像オリジナルファイルの撮影日と取得日時１５６ｅが対応し、かつステップＳ４０３で抽出したタグ識別子をタグ識別子１５６ｂに含む位置関連情報１５６を抽出する。
【０１４２】
次に、対面判定部１１３は、取得日時が同時であって、属性の異なる複数の位置関連情報１５６間の距離を特定する（ステップＳ４０５）。上述の実施形態と同様に、取得日時が同時であるとは、一般的に許容しうる時間差（例えば５秒）を有する場合を含む。対面判定部１１３は、ステップＳ４０４で抽出した位置関連情報１５６を参照し、取得日時１５６ｅが同時であって、かつタグ属性１５６ｃが異なる複数のレコードの組み合わせを抽出する。対面判定部１１３は、抽出した位置関連情報１５６の組み合わせの位置情報１５６ｄを参照し、各々の組み合わせに対して位置情報間の距離を特定する。
【０１４３】
次に、対面判定部１１３は、距離が所定距離以下となる期間を抽出する（ステップＳ４０６）。対面判定部１１３は、ステップＳ４０５で特定した距離が所定距離以下である位置情報１５６ｄの組み合わせを抽出する。対面判定部１１３は、抽出した組み合わせに基づいて、異なるタグ属性１５６ｃと関連付けられた複数のＧＰＳモジュール間の距離が所定距離以下となる１又は複数の期間を抽出する。
【０１４４】
ステップＳ４０７からステップＳ４１１において行われる処理は、ステップＳ２０４からステップＳ２０８において行われる処理と同様であるため、説明を省略する。
【０１４５】
なお、ステップＳ４０８において、図８に示す編集映像生成処理が行われる。この際、対面判定部１１３は、図１４に示すステップＳ４０７で特定した期間が開始された時刻を開始時刻とする（ステップＳ２０５１）。換言すれば、対面判定部１１３は、複数のＧＰＳモジュールの間隔が所定距離以下となったタイミングを、開始時刻として特定する。
【０１４６】
また、対面判定部１１３は、ステップＳ４０７で特定した期間が終了する時刻を終了時刻として特定する（ステップＳ２０５２）。換言すれば、対面判定部１１３は、複数のＧＰＳモジュールの間隔が所定距離以下となった後、該所定距離を上回る距離となったタイミングを、終了時刻として特定する。
【０１４７】
本実施形態によれば、医師及び患者の位置に基づいて、適切に編集映像を得ることができる。また、カルテ情報の表示にはタグ情報を用い、編集映像の生成にはＧＰＳモジュールを用いるため、カルテ情報の表示と編集映像の開始及び終了時刻との間に時間差を設けることができる。例えば診察室の扉付近に読取装置４０を設ければ、編集映像の開始前からカルテ情報を表示させることが可能である。
【０１４８】
以上、本発明に係る各実施形態及び変形例の説明を行ってきたが、本発明は、上記した実施形態の一例に限定されるものではなく、様々な変形例が含まれる。例えば、上記した実施形態の一例は、本発明を分かり易くするために詳細に説明したものであり、本発明は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。また、上記の各構成、機能、処理部、処理手段等は、それらの一部又は全部を、例えば集積回路で設計する等によりハードウェアで実現してもよい。また、図中の制御線や情報線は、説明上必要と考えられるものを示しており、全てを示しているとは限らない。ほとんど全ての構成が相互に接続されていると考えてもよい。
【０１４９】
例えば、上述の第１の実施形態及び第２の実施形態は、医療機関において映像情報管理システム１が用いられる例を説明した。しかしながら、映像情報管理システム１が利用可能な場所は医療機関に限定されない。
【０１５０】
また、上記の映像情報管理装置１０、医療機関端末装置２０、及び再生端末装置３０の機能構成は、理解を容易にするために、主な処理内容に応じて分類したものである。構成要素の分類の仕方や名称によって、本願発明が制限されることはない。上述の通り、映像情報管理装置１０、医療機関端末装置２０、及び再生端末装置３０の構成は、処理内容に応じて、さらに多くの構成要素に分類することもできる。また、１つの構成要素がさらに多くの処理を実行するように分類することもできる。
【符号の説明】
【０１５１】
１：映像情報管理システム、１０：映像情報管理装置、１１：演算装置、１２：メモリ、１３：外部記憶装置、１４：入力ＩＦ、１５：出力ＩＦ、１６：通信ＩＦ、１７：記憶媒体駆動装置、１８：メディア、２０：医療機関端末装置、３０：再生端末装置、４０：読取装置、５０：撮影装置、６０：ネットワーク、１１０：制御部、１１１：映像取得部、１１２：タグ情報取得部、１１３：対面判定部、１１４：映像編集部、１１５：カルテ情報取得部、１１６：位置情報取得部、１２０：通信部、１３０：入力部、１４０：出力部、１５０：記憶部、１５１：映像オリジナルファイル、１５２：カルテ情報、１５３：編集映像、１５４：読取情報、１５５：録画録音個別情報、１５６：位置関連情報、２１０：制御部、２１１：撮影部、２１２：タグ読取部、２１３：表示制御部、２１４：位置情報受信部、２２０：記憶部、２２１：カルテ情報、２３０：カルテ表示画面、２３１：医師識別子表示領域、２３２：患者識別子表示領域、２３３：電子カルテ表示領域、２４０：編集映像要求画面、２４１：患者識別子入力領域、２４２：撮影日入力領域、２５０：編集映像表示画面、２５１：編集映像表示領域、３１０：制御部、３１１：映像要求部、３１２：表示制御部
【図１】
0006526541.tif 000002
【図２】
0006526541.tif 000003
【図３】
0006526541.tif 000004
【図４】
0006526541.tif 000005
【図５】
0006526541.tif 000006
【図６】
0006526541.tif 000007
【図７】
0006526541.tif 000008
【図８】
0006526541.tif 000009
【図９】
0006526541.tif 000010
【図１０】
0006526541.tif 000011
【図１１】
0006526541.tif 000012
【図１２】
0006526541.tif 000013
【図１３】
0006526541.tif 000014
【図１４】
0006526541.tif 000015